【手続補正書】
【提出日】平成27年1月21日(2015.1.21)
【手続補正１】
【補正対象書類名】特許請求の範囲
【補正対象項目名】全文
【補正方法】変更
【補正の内容】
【特許請求の範囲】
【請求項１】
熱可塑性を有する材料のインサイチュー液化の助けにより、硬組織の中に縫合糸アンカー（２）または頭部付きアンカーを固定するための装置であって、
硬組織の中へまたは硬組織を通して押込まれるように装備される遠端を有するアンカー足部（２２）と、前記アンカー足部（２２）の近端に接続されるまたは接続可能な遠端を有する工具（１）と、熱可塑性を有する材料を備える熱可塑性スリーブ（２３）とを備え、
前記熱可塑性スリーブ（２３）は、前記工具（１）または前記アンカー足部（２２）の近位部分が前記熱可塑性スリーブ（２３）を通って延在する状態で、前記アンカー足部（２２）の近位面上に乗るように適合され、
前記工具（１）の前記遠端と前記アンカー足部（２２）との間の接続部は、切り離し可能であり、前記工具（１）から前記アンカー足部（２２）へ圧縮力および引張り力ならびに機械振動を伝達することができるように装備される、装置。
【請求項２】
前記工具（１）が支持要素（８０）を通って延在した状態で、前記熱可塑性スリーブ（２３）の近位面上に乗る支持要素（８０）をさらに備える、請求項１に記載の装置。
【請求項３】
前記熱可塑性スリーブ（２３）は、アンカー頭部（９１）を構成する近位フランジを備える、請求項１または２に記載の装置。
【請求項４】
振動源をさらに備え、前記工具（１）の近端は前記振動源に結合されるかまたは結合可能である、請求項１から３のいずれか１項に記載の装置。
【請求項５】
前記振動源は２つの異なる振動モードを選択的に発生させることができる、請求項４に記載の装置。
【請求項６】
前記２つの異なる振動モードのうち第１のものは振幅変調されるかまたはパルスを備える、請求項５に記載の装置。
【請求項７】
前記振動源は、押込みのステップで振動モードのうち第１のもので振動し、アンカー固定のステップで前記振動モードのうち第２のもので振動するようにプログラミングされる、請求項４に記載の装置。
【請求項８】
前記アンカー足部（２２）の前記近位面および／または支持要素（８０）の遠位面はエネルギ導波器として働く構造を備える、請求項１から７のいずれか１項に記載の装置。
【請求項９】
前記アンカー足部（２２）の前記近位面および／または支持要素（８０）の遠位面は下を切取られた凹部を備える、請求項１から８のいずれか１項に記載の装置。
【請求項１０】
前記アンカー足部（２２）は、縫合糸（４）のループを保持するための通路および／または溝（２５）の系統を備える、請求項１から９のいずれか１項に記載の装置。
【請求項１１】
前記熱可塑性スリーブ（２３）は、縫合糸（４）の収容のための少なくとも１つの軸方向溝またはスロットを備える、請求項１から９のいずれか１項に記載の装置。
【請求項１２】
縫合糸（４）は前記熱可塑性スリーブ（２３）を通される、請求項１から１１のいずれか１項に記載の装置。
【請求項１３】
前記アンカー足部（２２）の前記遠端は打抜き工具として装備される、請求項１から１２のいずれか１項に記載の装置。
【請求項１４】
熱可塑性を有する材料のインサイチュー液化の助けにより、非ヒト動物の硬組織の中に縫合糸アンカーまたは頭部付きアンカーを固定するための方法であって、
請求項１から１３のいずれか１項に記載の装置を設けるステップと、
前記振動工具（１）に押す力を加えることによって、前記振動工具（１）の前記遠端に接続される前記アンカー足部（２２）を前記硬組織の中に押込むステップと、
熱可塑性を有する前記材料のインサイチュー液化のために、前記アンカー足部（２２）を同じ位置に保つかまたは硬組織表面に向けた方向にアンカー足部を動かしながら、前記工具を振動させ、前記熱可塑性スリーブ（２３）に圧縮力を加えることによって前記アンカー（２）を前記硬組織の中にアンカー固定するステップと、
前記工具の振動を停止し、前記工具を前記アンカー足部（２２）から切り離し、前記工具（１）を前記アンカー足部から取外すステップと、を備える方法。
【請求項１５】
前記押込むステップで、前記工具（１）およびそれにより前記アンカー足部（２２）が振動される、請求項１４に記載の方法。
【請求項１６】
前記押込むステップでは第１の振動モードを用い、前記アンカー固定ステップでは前記第１の振動モードとは異なる第２の振動モードを用いる、請求項１６に記載の方法。
【請求項１７】
前記第１の振動モードは振幅変調またはパルスを備える、請求項１６に記載の方法。
【請求項１８】
前記熱可塑性スリーブ（２３）に圧縮力を加えるため、前記熱可塑性スリーブ（２３）または支持要素（８０）に押す力（Ｆ．３）を加える、請求項１４から１７のいずれか１項に記載の方法。
【請求項１９】
前記押す力（Ｆ．３）は、前記工具（１）に作用する引く力（Ｆ．２）によっておよび／または前記アンカー足部（２２）の遠位面の区域の中の前記硬組織によって対抗される、請求項１８に記載の方法。
【請求項２０】
前記押込むステップの前に、前記硬組織の中に開口を設け、前記押込むステップで前記アンカー足部（２２）を前記開口の中に押込み、前記開口は断面および／または深さに関して拡大される、請求項１４から１９のいずれか１項に記載の方法。
【請求項２１】
前記押込むステップのために、前記アンカー足部（２２）は、硬組織表面（６）の上に、前記硬組織表面（６）中に設けたパイロットボア（５．４）の中に、または海綿骨組織上方に位置する皮質骨層（７）を通って到達する開口（５．１）の中に位置決めされる、請求項１４から１９のいずれか１項に記載の方法。
【請求項２２】
熱可塑性を有する材料のインサイチュー液化の助けにより、硬組織の中に縫合糸アンカーまたは頭部付きアンカーを固定するためのシステムであって、方法は、
請求項１から１３のいずれか１項に記載の装置を設けるステップと、
前記振動工具（１）に押す力を加えることによって、前記振動工具（１）の前記遠端に接続される前記アンカー足部（２２）を前記硬組織の中に押込むステップと、
熱可塑性を有する前記材料のインサイチュー液化のために、前記アンカー足部（２２）を同じ位置に保つかまたは硬組織表面に向けた方向にアンカー足部を動かしながら、前記工具を振動させ、前記熱可塑性スリーブ（２３）に圧縮力を加えることによって前記アンカー（２）を前記硬組織の中にアンカー固定するステップと、
前記工具の振動を停止し、前記工具を前記アンカー足部（２２）から切り離し、前記工具（１）を前記アンカー足部から取外すステップと、を備えるシステム。
【請求項２３】
前記押込むステップで、前記工具（１）およびそれにより前記アンカー足部（２２）が振動される、請求項２２に記載のシステム。
【請求項２４】
前記押込むステップでは第１の振動モードを用い、前記アンカー固定ステップでは前記第１の振動モードとは異なる第２の振動モードを用いる、請求項２３に記載のシステム。
【請求項２５】
前記第１の振動モードは振幅変調またはパルスを備える、請求項２４に記載のシステム。
【請求項２６】
前記熱可塑性スリーブ（２３）に圧縮力を加えるため、前記熱可塑性スリーブ（２３）または支持要素（８０）に押す力（Ｆ．３）を加える、請求項２２から２５のいずれか１項に記載のシステム。
【請求項２７】
前記押す力（Ｆ．３）は、前記工具（１）に作用する引く力（Ｆ．２）によっておよび／または前記アンカー足部（２２）の遠位面の区域の中の前記硬組織によって対抗される、請求項２６に記載のシステム。
【請求項２８】
前記押込むステップの前に、前記硬組織の中に開口を設け、前記押込むステップで前記アンカー足部（２２）を前記開口の中に押込み、前記開口は断面および／または深さに関して拡大される、請求項２２から２７のいずれか１項に記載のシステム。
【請求項２９】
前記押込むステップのために、前記アンカー足部（２２）は、硬組織表面（６）の上に、前記硬組織表面（６）中に設けたパイロットボア（５．４）の中に、または海綿骨組織上方に位置する皮質骨層（７）を通って到達する開口（５．１）の中に位置決めされる、請求項２２から２７のいずれか１項に記載の方法。